(57)【要約】【課題】保管場所の確保が容易で、短時間の簡易な作業で確実に建造物の内部への浸水を阻止することのできる遮水体設置構造と遮水体設置方法を提供する。【解決手段】底部１と一対の立ち上がり部２，２を有する建造物Ｂの開口部３への浸水を、水を充填した袋状の遮水体４で阻止する遮水体設置構造であって、遮水体４は、開口部３の水の進入側の底部１に沿って、一対の立ち上がり部２，２の間を跨ぐように設置され、遮水体４を、一対の立ち上がり部２，２の下端部に密着させる密着手段５と、密着手段５を開口部３の近傍に固定する固定手段６とを備えた構成とする。遮水体４は、その自重によって底部１と隙間なく密着し、密着手段５によって遮水体４が立ち上がり部２の方に引っ張られて立ち上がり面４ｂと立ち上がり部２が密着するので、底部１から立ち上がり部２の所定の高さ（遮水体４の高さ）までの浸水を確実に阻止することができる。【選択図】図２
2015078571.tif 000002
【特許請求の範囲】
【請求項１】
底部と一対の立ち上がり部を有する建造物の開口部への浸水を、水を充填した袋状の遮水体で阻止する遮水体設置構造であって、
遮水体は、開口部の水の進入側の底部に沿って、一対の立ち上がり部の間を跨ぐように設置され、
遮水体を、一対の立ち上がり部の下端部に密着させる密着手段と、
密着手段を開口部の近傍に固定する固定手段と、
を備えることを特徴とする遮水体設置構造。
【請求項２】
上記遮水体の側面形状が略直角三角形であり、略直角三角形の直角を形成する二面が、立ち上がり部及び底部にそれぞれ対面するように設置され、上記密着手段が、遮水体の斜面に、立ち上がり部の下端部の方に向う力を加えることができるものであることを特徴とする請求項１に記載の遮水体設置構造。
【請求項３】
上記密着手段が、遮水体の斜面に、斜面を覆うシート体を添設し、シート体の両端を一対の立ち上がり部の下端部の方に引っ張るものであることを特徴とする請求項２に記載の遮水体設置構造。
【請求項４】
上記シート体がネット状のものであり、上記固定手段として、開口部の近傍の遮水体設置面、立ち上がり部、建造物の外壁面のいずれか１つ又は２つ以上に、該シート体を係止させる係止部が設けられていることを特徴とする請求項３に記載の遮水体設置構造。
【請求項５】
底部と一対の立ち上がり部を有する建造物の開口部への浸水を、水を充填した袋状の遮水体で阻止する遮水体設置方法であって、
遮水体を、開口部の水の進入側の底部に沿って、一対の立ち上がり部の間を跨ぐように設置して、遮水体を一対の立ち上がり部の下端部に密着させる密着手段を配置するか、又は、該密着手段を配置した遮水体を、開口部の水の進入側の底部に沿って、一対の立ち上がり部の間を跨ぐように設置する第１の工程と、
固定手段により密着手段を開口部の近傍に固定する第２の工程と、
遮水体の内部に水を充填する第３の工程とを有することを特徴とする遮水体設置方法。
【発明の詳細な説明】
【技術分野】
【０００１】
本発明は、ゲリラ豪雨等による建造物の開口部からの浸水を阻止する遮水体設置構造と遮水体設置方法に関するものである。
【背景技術】
【０００２】
昨今、地球温暖化が要因の一つとされる異常気象に伴い、各地で短時間の記録的なゲリラ豪雨が頻発している。周知のように、都市部では道路の舗装化が進んでおり、降雨した雨水は殆ど地面に浸透することなく、下水道施設から河川へと一気に流入するので、短時間で河川が氾濫したり下水道施設から雨水が噴き出したりして、床下浸水や床上浸水の被害を出して社会問題となっている。
【０００３】
従来、河川の氾濫などの水害時は、土嚢を建造物の出入口に積み上げて遮水壁を作り、建造物内部への浸水を防いでいたが、土嚢は非常に重いため、積み上げ作業には大変な時間と労力を要し、また、嵩張るので保管場所を確保するのも困難であった。しかも、上記のように、昨今の水害は短時間の内に被害が出ることが多く、土嚢を保管場所から建造物の出入口に積み上げる作業に時間を要すると、遮水壁を作るまでに建造物が浸水してしまうことも珍しくない。
【０００４】
かかる事情に鑑みて、防潮堤と防潮堤の間に、折り畳みが可能な筒状の防水袋体を配置すると共に、津波や高潮などの進入側と反対側（陸側）に支持具を並設し、支持具に防水袋体を支持させて浮き上がりや流出を防止し、防潮堤間からの海水の進入を阻止する防水用具のように、土嚢以外のもので、水害を防止することも提案されている（特許文献１）。
【０００５】
上記特許文献１の防水用具は、支持具に防水袋体を支持させて、防水袋体の内部に給水するという作業で設置することができるので、従来のように、土嚢を保管場所から運び出して積み上げるといった労力や時間から解放され、また、防水袋体は折り畳みが可能なので、保管場所の確保も容易であった。
【先行技術文献】
【特許文献】
【０００６】
【特許文献１】特開２００３−１７１９１７号公報
【発明の概要】
【発明が解決しようとする課題】
【０００７】
しかしながら、上記特許文献１の防水用具は、防水袋体及び支持具を津波や高潮などの進入側と反対側、即ち、防潮堤よりも陸側に設置するので、津波や高潮などが押し寄せて防水用具に衝突すると、防水袋体は後方に並設された支持具の方へと追いやられ、防潮堤と防水袋体との間に隙間が生じて、そこから海水が進入してくるという問題があった。特に、防水袋体は注水すると球状に変形するので、防水袋体の下端部と防潮堤の下端部との間の隙間が最も大きくなって、その隙間から相当量の海水が防潮堤の内部へと進入してしまう。防潮堤では、多少の海水の進入は問題にならないが、建造物の場合は到底無視することのできない問題である。
【０００８】
本発明は上記の問題に鑑みてなされたもので、その解決しようとする課題は、保管場所の確保が容易で、短時間の簡易な作業で確実に建造物の内部への浸水を阻止することのできる遮水体設置構造と遮水体設置方法を提供することにある。
【課題を解決するための手段】
【０００９】
上記目的を達成するため、本発明に係る遮水体設置構造は、底部と一対の立ち上がり部を有する建造物の開口部への浸水を、水を充填した袋状の遮水体で阻止する遮水体設置構造であって、遮水体は、開口部の水の進入側の底部に沿って、一対の立ち上がり部の間を跨ぐように設置され、遮水体を、一対の立ち上がり部の下端部に密着させる密着手段と、密着手段を開口部の近傍に固定する固定手段と、を備えることを特徴とするものである。
【００１０】
本発明の遮水体設置構造においては、上記遮水体の側面形状が略直角三角形であり、略直角三角形の直角を形成する二面が、立ち上がり部及び底部にそれぞれ対面するように設置され、上記密着手段が、遮水体の斜面に、立ち上がり部の下端部の方に向う力を加えることができるものであることが好ましい。また、上記密着手段が、遮水体の斜面に、斜面を覆うシート体を添設し、シート体の両端を一対の立ち上がり部の下端部の方に引っ張るものであることが好ましく、上記シート体がネット状のものであり、上記固定手段として、開口部の近傍の遮水体設置面、立ち上がり部、建造物の外壁面のいずれか１つ又は２つ以上に、該シート体を係止させる係止部が設けられているとより好ましい。
【００１１】
次に、本発明の遮水体設置方法は、底部と一対の立ち上がり部を有する建造物の開口部への浸水を、水を充填した袋状の遮水体で阻止する遮水体設置方法であって、遮水体を、開口部の水の進入側の底部に沿って、一対の立ち上がり部の間を跨ぐように設置して、遮水体を一対の立ち上がり部の下端部に密着させる密着手段を配置するか、又は、該密着手段を配置した遮水体を、開口部の水の進入側の底部に沿って、一対の立ち上がり部の間を跨ぐように設置する第１の工程と、固定手段により密着手段を開口部の近傍に固定する第２の工程と、遮水体の内部に水を充填する第３の工程とを有することを特徴とする。
【発明の効果】
【００１２】
本発明の遮水体設置構造は、遮水体に水が充填されることで、遮水体はその自重によって、開口部の底部と隙間なく密着する。また、保管場所の確保や設置作業を容易にするため、遮水体は、折り畳みが可能な柔軟な袋状のものを採用しているので、遮水体に水を充填すると遮水体は膨れて、遮水体内の水による水圧や重力で球状に変形しようとし、特に、立ち上がり部の下端部付近において、遮水体との間に隙間が生じてしまうが、本発明は、密着手段によって、遮水体は開口部の一対の立ち上がり部の下端部に密着されるので、底部と立ち上がり部の下端部付近においても、遮水体と開口部との隙間がなくなり、そこから浸水してくることもない。更に、遮水体は密着手段によって立ち上がり部の下端部に押し当てられているので、遮水体全体が立ち上がり部の方に引っ張られて、立ち上がり部の下端部より上側でも、遮水体と開口部との隙間がなくなり遮水される。従って、開口部の底部から立ち上がり部の所定の高さ（遮水体の高さ）までが確実に遮水されることになり、建造物の開口部への浸水を確実に阻止することができる。しかも、遮水体は袋状のものなので、それ自体が軽量で柔軟性を有し、水を充填しなければ持ち運びや保管場所を確保するのも容易であり、短時間で設置することができる。
【００１３】
また、上記遮水体の側面形状が略直角三角形であり、略直角三角形の直角を形成する二面が、立ち上がり部及び底部にそれぞれ対面するように設置され、上記密着手段が、遮水体の斜面に、立ち上がり部の下端部の方に向う力を加えることができるものである遮水体設置構造は、開口部から浸水しようとする水位が上昇すると、遮水体の斜面に対して鉛直方向と水平方向の力（浸水による水圧）が加わるため、遮水体は底部及び立ち上がり部に押し付けられて、より確実に遮水することができる。
【００１４】
更に、上記密着手段が、遮水体の斜面に、斜面を覆うシート体を添設し、シート体の両端を一対の立ち上がり部の下端部の方に引っ張るものである遮水体設置構造は、シート体の両端を一対の立ち上がり部の下端部の方に引っ張ることで、遮水体の斜面に対して鉛直方向と水平方向の力を確実に加えることができ、密着度が上がって遮水性能が向上する。
【００１５】
特に、上記シート体がネット状のものであり、上記固定手段として、開口部の近傍の遮水体設置面、立ち上がり部、建造物の外壁面のいずれか１つ又は２つ以上に、該シート体を係止させる係止部が設けられている遮水体設置構造のように、シート体がネット状のものであると、立ち上がり部の下端部の方に引っ張る力が強いので、斜面に対して十分な鉛直方向と水平方向の力を加えることができ、開口部の近傍の遮水体設置面、立ち上がり部、建造物の外壁面のいずれか１つ又は２つ以上に設けられた係止部との係止も、簡単に行えるので好ましい。
【００１６】
次に、本発明の遮水体設置方法は、底部と一対の立ち上がり部を有する建造物の開口部への浸水を、水を充填した袋状の遮水体で阻止する遮水体設置方法であって、遮水体を、開口部の水の進入側の底部に沿って、一対の立ち上がり部の間を跨ぐように設置して、遮水体を一対の立ち上がり部の下端部に密着させる密着手段を配置するか、又は、該密着手段を配置した遮水体を、開口部の水の進入側の底部に沿って、一対の立ち上がり部の間を跨ぐように設置する第１の工程と、固定手段により密着手段を開口部の近傍に固定する第２の工程と、遮水体の内部に水を充填する第３の工程により、短時間の簡単な作業で、上記のような優れた作用効果を奏する遮水体設置構造を構築することができる。
【図面の簡単な説明】
【００１７】
【図１】本発明の一実施形態に係る遮水体設置構造を示す斜視図である。
【図２】同設置構造の概略平面図である。
【図３】同設置構造に用いる遮水体の斜視図である。
【図４】同遮水体に水を充填した状態を示す側面図である。
【図５】同設置構造を説明する側面図である。
【図６】同設置構造を説明する側面図である。
【図７】本発明の他の実施形態に係る遮水体設置構造を示す部分側面図である。
【図８】本発明の更に他の実施形態に係る遮水体設置構造を示す部分側面図である。
【図９】本発明の更に他の実施形態に係る遮水体設置構造を示すものであって、（ａ）は平面図、（ｂ）は正面図、（ｃ）は更に他の実施形態の正面図である。
【発明を実施するための形態】
【００１８】
以下、図面を参照して本発明の具体的な実施形態を詳述する。
【００１９】
図１に示す本発明の遮水体設置構造は、底部１と一対の立ち上がり部２，２を有する建造物Ｂの開口部３への浸水を、水を充填した袋状の遮水体４で阻止するものであって、短時間の簡易な作業で構築することができ、確実に建造物Ｂの内部への浸水を阻止できるように開発されたものである。この遮水体設置構造を実施する建造物Ｂの開口部３は、底部１と一対の立ち上がり部２，２を有するものであれば特に限定されないが、例えば、個人宅の玄関戸、門柱間、マンションエントランス、店舗入口など開口部３に扉等がある場合の他にも、階段入口、塀と塀の間や地下施設（地下街、駐車場、駐輪場など）の入口など開口部３に扉等がない場合にも施工可能で、比較的小規模の開口部３に好適に施工される。
【００２０】
図１、図２に示すように、遮水体４は、開口部３の屋外側（水の進入側）の底部１に沿って、一対の立ち上がり部２，２の間を跨ぐように設置されており、該遮水体４は、密着手段５によって、一対の立ち上がり部２，２の下端部に密着されている。そして、その密着手段５は、固定手段６により、建造物Ｂの開口部３の近傍に固定されている。この遮水体４は、少なくとも一方の立ち上がり部２の内側面から他方の立ち上がり部２の内側面までをカバーするように設置しなければ意味のないことは言うまでもないが、本実施形態では、遮水体４と立ち上がり部２の密着面積を大きくして遮水性能をより向上させるため、一方の立ち上がり部２の外側面から他方の立ち上がり部２の外側面までの全てをカバーできる、一対の立ち上がり部２，２間の距離よりも若干長い遮水体４が設置されている。
尚、上記の立ち上がり部２は、開口部３の開口縁に立設された柱（丸柱や角柱）、開口部３を形成する塀（平面状）の端部など、形状は特に限定されるものではない。
【００２１】
上記遮水体４は、図３に示すように、底面４ａと立ち上がり面４ｂと斜面４ｃからなり、底面４ａと立ち上がり面４ｂとの夾角が略９０°の側面形状が略直角三角形をしたものであって、図５、図６に示すように、略直角三角形の直角を形成する二面、即ち、底面４ａと立ち上がり面４ｂが、建造物Ｂの底部１及び立ち上がり部２にそれぞれ対面（密着）するように設置されている。このように遮水体４の側面形状が略直角三角形であると、雨量が増して水位が上昇した際、斜面４ｃに対して、鉛直方向（設置面に向う方向）と水平方向（開口部３に向う方向）の力が加わるため、遮水体４の底面４ａと立ち上がり面４ｂが、建造物Ｂの底部１及び立ち上がり部２に押し付けられて密着し、確実に遮水することができるようになる。
【００２２】
本実施形態の遮水体４は、持ち運びや保管場所の確保が容易となるように、軽量で折り畳みが可能なポリエステル系の織布に塩化ビニル樹脂を含浸コーティングした防水シートが用いられているが、その他にも合成繊維糸や天然繊維糸の織布を用いて、ポリオレフィン樹脂、ポリウレタン樹脂、天然ゴムなどでコーティングしたものを用いることもできる。図３に示すように、この遮水体４には、水を充填するための注水口４ｄが設けられており、水道等を利用して注水口４ｄから水を注水することで、簡単に遮水体４の内部に水が充填されるようになっている。この際、水の充填をよりスムーズに行うために、別途遮水体４の上部に空気抜きの孔（不図示）を設けることが好ましく、遮水体４内部に過剰な水圧がかかっても遮水体４が破損しないように、圧力調整バルブ（不図示）を設けることも好ましい。
【００２３】
尚、上記のように、遮水体４の側面形状が略直角三角形であると、水位が上昇した際、遮水体４の底面４ａと立ち上がり面４ｂが、建造物Ｂの底部１及び立ち上がり部２に押し付けられて密着するので好ましいが、底部１から立ち上がり部２に沿って密着するのであれば直角三角形状に限定されるものではなく、例えば直方体等の形状であってもよい。
また、遮水体４の寸法は、設置される建造物Ｂの開口部３の大きさや、遮水したい水位に合わせて変化するものであるが、通常、長さＬが２ｍ程度、立ち上がり部２の高さＨが５０〜６０ｃｍ程度のものが好適に用いられる。
【００２４】
上記のように、建造物Ｂの開口部３を遮水する遮水体４は、軽量で持ち運びや設置作業が容易で、折り畳みが可能なので保管場所の確保にも困らないという顕著なメリットがある反面、折り畳みを可能とした、換言すれば、柔軟な素材で形成したため、注水口４ｄより水を充填すると、図４に示すように、遮水体４内の水による水圧や重力によって斜面４ｃや立ち上がり面４ｂが丸くなろうと変形し、遮水体４の下端部と立ち上がり部２の下端部の間に隙間Ｓができて、その隙間Ｓより浸水してしまう恐れが生じる。また、立ち上がり部２と遮水体４の上端部の間にも隙間Ｓができて、本来であれば水位が遮水体４の高さＨに達するまで遮水が可能であるにも拘わらず、遮水体４の高さＨまで水位が達していなくとも、立ち上がり部２と遮水体４の上端部の間に隙間Ｓができることにより、遮水体４の側面方向から浸水する恐れも生じる。そこで、本発明の遮水体設置構造は、次に説明する密着手段５によって、遮水体４と立ち上がり部２との間に隙間Ｓができないようにしている。
【００２５】
即ち、遮水体４を一対の立ち上がり部２，２の下端部に密着させる密着手段５は、図５に示すように、遮水体４の斜面４ｃを覆うように添設されたシート体５であって、図２、図６に示すように、このシート体５の両端を開口部３の近傍の遮水体設置面に固定することで、遮水体４の斜面４ｃに、立ち上がり部２の下端部Ｐの方に向う力を加えている。このように遮水体４の斜面４ｃに立ち上がり部２の下端部Ｐの方に向う力が加わると、丸くなろうとしていた遮水体４が再び元の略直角三角形状に戻って上記の隙間Ｓが押し潰されてなくなると共に、遮水体４全体が立ち上がり部２の方に引っ張られて、立ち上がり部２の下端部Ｐより上側でも強固に密着して、そこから浸水してしまうといった不具合がなくなる。
【００２６】
本実施形態のシート体５は伸縮可能なネットであり、このシート体５を開口部３の近傍の遮水体設置面に固定する固定手段６として、開口部３の近傍の遮水体設置面に、該シート体５を係止させる係止部６が設けられている。シート体５を係止させる係止部６は、図１、図２、図６に示すように、開口部３の両側の遮水体設置面に設けられたコンクリートアンカーであって、この２つの係止部６，６にシート体５の両端の網目を係止させることで、シート体５を開口部３の近傍の遮水体設置面に固定していると共に、シート体５の両端を一対の立ち上がり部２，２の下端部Ｐの方に引っ張って、遮水体４の斜面４ｃに立ち上がり部２の下端部Ｐの方に向う力を加えている。この係止部６は、遮水体４の斜面４ｃに立ち上がり部２の下端部Ｐの方に向う力が加わるように、遮水体４の前端（底面４ａの前端）よりも立ち上がり部２側に設ける必要があるもので、本実施形態では、より立ち上がり部２の下端部Ｐの方に強い力が加わるよう、立ち上がり部２の前面よりも屋内側に設けられている。そして、遮水体４の頂部（斜面４ｃの頂部）に位置するシート体５の網目と遮水体４の前端（斜面４ｃの前端）に位置するシート体５の網目を係止部６に係止させて、立ち上がり部２の下端部Ｐの方に強い力を加えている。
【００２７】
このように、シート体５としてネットを用いると、別途ロープ等を用いなくとも係止部６に係止させることができ、その伸縮機能を利用することによって、ネットの網目を広げて係止部６に係止させるだけで、立ち上がり部２の下端部Ｐの方に引っ張る力を加えることができるので好ましいが、勿論、別途ロープ等でシート体５の両端を、係止部６の方に引っ張って、遮水体４の斜面４ｃに立ち上がり部２の下端部Ｐの方に向う力を加えてもよい。また、シート体５は、遮水体４の斜面４ｃを覆う全ての箇所で固定してもよいし、幅方向に数箇所固定するだけでもよい。
【００２８】
本実施形態の係止部６は、上記のように、開口部３の近傍の遮水体設置面に設けられているが、遮水体４の斜面４ｃに立ち上がり部２の下端部Ｐの方に向う力を加えることができる箇所であればこれに限定されるものではなく、この他にも立ち上がり部２や建造物Ｂの外壁面にフックなどの係止部６を設けてもよい。
また、必ずしも遮水体４の斜面４ｃ全体をシート体５で覆う必要はなく、幅狭のシート体５であってもよい。更にネットではなく、板体、ロープ（バンド）などのシート体５を遮水体４の斜面４ｃに添設してもよく、ロープを利用する場合は、斜面４ｃの斜面４ｃに筒状のロープ通し孔を設けることが好ましい。
【００２９】
次に、上記のような遮水体設置構造を構築する、本発明の遮水体設置方法について説明する。
【００３０】
即ち、上記遮水体設置構造は第１から第３の工程により構築される。まず、第１の工程は、上記のような袋状の遮水体４を保管場所から取り出して、建造物Ｂの開口部３の屋外側の底部１に沿って、一対の立ち上がり部２，２の間を跨ぐように設置し、該遮水体４を一対の立ち上がり部２，２の下端部Ｐに密着させる密着手段５（シート体５）を配置する。勿論、予め密着手段５を配置した遮水体４を、開口部３の屋外側の底部１に沿って、一対の立ち上がり部２，２の間を跨ぐように設置してもよく、前述したように、遮水体４や密着手段５は軽量なため、持ち運びや設置作業が非常に簡単で、老人や女性、子供でも短時間で問題なく行うことができる。
【００３１】
上記第１の工程が完了すると、次に、密着手段５を、開口部３の近傍に設けられた固定手段６（係止部６）に固定する第２の工程を行う。この際も、密着手段５としてネット状のシート体５を用いているので、別途ロープ等を用いなくとも、その網目を利用することで、簡単に密着手段５を開口部３の近傍に固定することができる。
【００３２】
上記のように、第２の工程が終わると、最後に水道等を利用して遮水体４の注水口４ｄより水を注水し、遮水体４の内部を水で充填する第３の工程を行えば、前述した優れた作用効果を奏する遮水体設置構造が完成する。
【００３３】
以上の説明から明らかなように、本発明の遮水体設置構造は、老若男女を問わず短時間で簡単に構築することができるので、短時間の豪雨にも迅速に対応することができる。しかも、このような簡易な作業で施工することができるにも拘わらず、遮水体４の底面４ａと立ち上がり面４ｂが、開口部３の底部１と立ち上がり部２に隙間Ｓなく密着するので、遮水体４の高さＨまでの水位であれば、建造物Ｂへの浸水の心配が殆どない。
【００３４】
図７は本発明の他の実施形態に係る遮水体設置構造を示す部分側面図である。
【００３５】
図７に示す遮水体設置構造は、前述した実施形態と同様に、底部１と一対の立ち上がり部２，２を有する建造物Ｂの開口部３への浸水を、水を充填した袋状の遮水体４で阻止するものであって、遮水体４は、開口部３の屋外側の底部１に沿って、一対の立ち上がり部２，２の間を跨ぐように設置されており、遮水体４の一対の立ち上がり部２，２に当接する箇所（立ち上がり面４ｂ）、及び、底部１と当接する箇所（底面４ａ）に補強部７が形成され、補強部７と立ち上がり部２との間、及び、補強部７と底部１との間に止水部材８が設けられたものである。
【００３６】
この遮水体設置構造に用いる遮水体４は、前述した実施形態と同様の、側面形状が略直角三角形をした袋状のものであり、その遮水体４の底面４ａ及び立ち上がり面４ｂに、略Ｌ型の補強部７が形成されている。
【００３７】
上記補強部７は、遮水体４に水を充填した際、遮水体４内の水による水圧や重力によって斜面４ｃや立ち上がり面４ｂが丸くなろうと変形するのを防止するため形成されたもので、遮水体４より柔軟性の小さい樹脂、硬質プラスチックや金属などを溶着や融着などで遮水体４と一体化している。この補強部７は、遮水体４の立ち上がり面４ｂの少なくとも立ち上がり部２との当接箇所に形成すれば、遮水性能を発揮できるが、より確実に遮水体４の形状を略直角三角形に維持するため、遮水体４の立ち上がり面４ｂの全面と、底面４ａにも補強部７を形成している。
尚、遮水体４の底面４ａと立ち上がり面４ｂの厚みを厚くすることで、補強部７としてもよい。
【００３８】
上記補強部７の外面（底部１及び立ち上がり部２と当接する箇所）には、止水部材８が設けられている。この止水部材８は、柔軟なゴムや独立発泡樹脂成形体であって、この止水部材８を設けることにより、底部１及び立ち上がり部２との僅かな隙間（凹凸）も塞がれて、遮水性能がより一層向上するようになっている。
尚、止水部材８は、補強部７を覆うように遮水体４と一体化してもよい。
【００３９】
上記のような遮水体設置構造も、前述した実施形態と同様に、保管場所の確保が容易で、短時間の簡易な作業で確実に建造物Ｂの開口部３からの浸水を阻止することのできる優れたものである。
【００４０】
図８は本発明の更に他の実施形態に係る遮水体設置構造を示す部分側面図である。
【００４１】
図８に示す遮水体設置構造は、遮水体４の立ち上がり面４ｂの下端を、ロープ等の密着手段５により、屋外側から屋内側に向って引っ張ることで、遮水体４の立ち上がり面４ｂの下端を立ち上がり部２に押し付けて、遮水体４を立ち上がり部２の下端部Ｐに密着させたものである。
尚、ここでは図示しないが、密着手段５は固定手段６によって開口部３の近傍に固定されている。
【００４２】
このように、斜面４ｃにシート体５を添設せずに、遮水体４の立ち上がり面４ｂの下端を屋外側から屋内側に向って引っ張ることでも、立ち上がり部２の下端部Ｐの方に力を加えることができる。勿論、遮水体４の立ち上がり面４ｂの下端よりも上側は、水圧（遮水体４内の水による水圧と浸水による水圧の双方）や重力によって立ち上がり部２に密着されるので、そこから浸水の心配はない。
尚、本実施形態のように、ロープ等の密着手段５により、遮水体４の立ち上がり面４ｂの下端を立ち上がり部２の下端部Ｐに密着させたような場合でも、斜面４ｃにシート体５を添設してもよいことは言うまでもない。
【００４３】
図９は本発明の更に他の実施形態に係る遮水体設置構造を示すものであって、（ａ）は平面図、（ｂ）は正面図、（ｃ）は更に他の実施形態の正面図である。
【００４４】
本実施形態の遮水体設置構造は、前述した図１〜図８に示す遮水体設置構造とは異なり、開口部３に自動扉等がない場合の形態である。遮水体４は、上記のように、略直角三角形状をしているので、遮水体４に浸水による水圧が加わると、回転方向のモーメントが作用し、開口部３に遮水体４が当接する（受け止める）扉等がないと、開口部３側に倒れるような変形が発生してしまう。このように開口部３に扉等がない場合は、本実施形態のように、一対の立ち上がり部２，２間に補強材９を設けることで対応することができる。
【００４５】
上記補強材９は、図９の（ａ）に示すように、一対の立ち上がり部２，２に取付けられる略Ｌ型の金具９ａ，９ａと、その金具９ａ，９ａ間に設置される板体９ｂからなるもので、この補強材９を一対の立ち上がり部２，２間に設けることにより、遮水体４に浸水による水圧が加わって回転方向のモーメントが作用しても、補強材９が遮水体４を受け止めて、遮水体４が変形するのを防止している。
尚、補強材９の金具９ａは、立ち上がり部２に取付けられるものであれば略Ｌ型の形状に限定されるものではなく、例えば、略コ字型の金具９ａであってもよい。また、遮水体４を受け止める板体９ｂの代わりに、図９の（ｃ）に示すように、複数のパイプ９ｃ（本実施形態では３本）を用いてもよい。
【符号の説明】
【００４６】
Ｂ    建造物
１    底部
２    立ち上がり部
Ｐ    立ち上がり部の下端部
３    開口部
４    遮水体
４ａ  底面
４ｂ  立ち上がり面
４ｃ  斜面
４ｄ  注水口
Ｌ    遮水体の長さ
Ｈ    遮水体の高さ
５    密着手段（シート体）
６    固定手段（係止部）
７    補強部
８    止水部材
９    補強材
９ａ  略Ｌ型の金具
９ｂ  板体
９ｃ  パイプ
【図１】
2015078571.tif 000003
【図２】
2015078571.tif 000004
【図３】
2015078571.tif 000005
【図４】
2015078571.tif 000006
【図５】
2015078571.tif 000007
【図６】
2015078571.tif 000008
【図７】
2015078571.tif 000009
【図８】
2015078571.tif 000010
【図９】
2015078571.tif 000011